【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
（ｉ）少くとも１つの分離手段及び少くとも１つの検出器手段を含んでなる分析系に液体炭化水素マトリックスの試料を供給し、そこで分析系により少くとも１つのシグナルを発生させ、そして
（ｉｉ）既知の添加剤パッケージの、炭化水素マトリックス中の標準物からのシグナルを、該試料からの少くとも１つのシグナルと比較して、試料中の添加剤パッケージの同一性を決定する、
ことを含んでなる、液体炭化水素マトリックス中の添加剤パッケージまたは添加剤パッケージ混合物の同一性を決定する方法。
【請求項２】
（ｉ）少くとも１つの分離手段及び少くとも１つの検出器手段を含んでなる分析系に液体炭化水素マトリックスの試料を供給し、そこで分析系により少くとも１つのシグナルを発生させ、そして
（ｉｉ）既知の添加剤パッケージの、炭化水素マトリックス中の標準物からのシグナルを、該試料からの少くとも１つのシグナルと比較して、試料中の添加剤パッケージの同一性を決定する、
ことを含んでなる、液体炭化水素マトリックス中の添加剤パッケージまたは添加剤パッケージ混合物の濃度を決定する方法。
【手続補正２】
【補正対象書類名】明細書
【補正対象項目名】００３２
【補正方法】変更
【補正の内容】
【００３２】
本特許所有者は、いかなる開示した具体例も公共に提供する意図はなく、そしていずれか開示された改変または変更が文言上特許請求の範囲内に入りえない程度まで、均等論のもとに本発明の一部であると考える。
本発明の好適な実施の態様は次のとおりである。
１．（ｉ）少くとも１つの分離手段及び少くとも１つの検出器手段を含んでなる分析系に液体炭化水素マトリックスの試料を供給し、そこで分析系により少くとも１つのシグナルを発生させ、そして
（ｉｉ）既知の添加剤パッケージの、炭化水素マトリックス中の標準物からのシグナルを、該試料からの少くとも１つのシグナルと比較して、試料中の添加剤パッケージの同一性を決定する、
ことを含んでなる、液体炭化水素マトリックス中の添加剤パッケージまたは添加剤パッケージ混合物の同一性を決定する方法。
２．該炭化水素マトリックスが、燃料、オイル、ナフサ、ガソリン、ケロシン、ディ−ゼル燃料、ジェット燃料、タービン燃焼燃料油、ガス油、変速機用流体、及び作動液からなる群から選択される、上記１の方法。
３．添加剤パッケージが、燃料添加剤、成分、及び濃厚物；潤滑油添加剤、成分、及び濃厚物；変速機用流体添加剤、成分、及び濃厚物；並びに作動液添加剤、成分、及び濃厚物、からなる群から選択される、上記１の方法。
４．試料の分析系への供給が、試料の０．０１−０．５ミクロンフィルターでの濾過を更に含んでなる、上記１の方法。
５．試料の分析系への供給が、試料の０．１−０．２ミクロンフィルターでの濾過を更に含んでなる、上記１の方法。
６．第一の溶媒を分析系における移動相として使用し、そして該第一の溶媒をトルエン、酢酸エチル、テトラヒドロフラン（ＴＨＦ）、クロロホルム、メチルエチルケトン（ＭＥＫ）、ジクロロメタン、ジクロロエタン、アセトン、ｏ−ジクロロベンゼン（ｏ−ＤＣＢ）、トリクロロベンゼン（ＴＣＢ）、ｍ−クレゾール、及びｏ−クロロフェノ−ル（ｏ−ＣＰ）からなる群から選択する、上記１の方法。
７．第一の溶媒を分析系における移動相として使用し、そして該第一の溶媒がテトラヒドロフラン（ＴＨＦ）である、上記１の方法。
８．分析系における条件を最適化するために第二の溶媒を注入し、そして該第二の溶媒をピリジン、ジメチルアセトアミド（ＤＭＡ）、ｎ−メチルピロリドン（ＮＭＰ）、ジメチルスルホキシド（ＤＭＳＯ）、及びジメチルホルムアミド（ＤＭＦ）からなる群から選択する、上記１の方法。
９．分析系における条件を最適化するために第二の溶媒を注入し、そして該第二の溶媒がジメチルアセトアミド（ＤＭＡ）である、上記１の方法。
１０．移動相を流速０．０５−２．５ｍｌ／分に設定して分析系を操作する、上記１の方法。
１１．移動相を流速約０．６ｍｌ／分に設定して分析系を操作する、上記１の方法。
１２．移動相を流速約０．３ｍｌ／分に設定して分析系を操作する、上記１の方法。
１３．分離手段が少くとも１つのゲル浸透クロマトグラフィ−サイズ排除（ＧＰＣ／ＳＥＣ）カラムを含んでなる、上記１の方法。
１４．分離手段が少くとも２つの高分離低細孔寸法のＧＰＣ／ＳＥＣカラムを含んでなる、上記１の方法。
１５．分離手段が少くとも２つ（１００オングストロ−ム、３ミクロン、３００ｘ７５ｍｍ）のＧＰＣ／ＳＥＣカラムを含んでなる、上記１の方法。
１６．検出器手段が、ＵＶ／ＶＩＳ検出器、蛍光検出器、屈折率検出器（ＲＩＤ）、蒸発式光散乱検出器（ＥＬＳＤ）、及び質量分光光度計出器（ＭＳＤ）からなる群から選択される少くとも１つの検出器を含んでなる、上記１の方法。
１７．検出器手段がＵＶ／ＶＩＳ検出器を含んでなる、上記１の方法。
１８．検出器手段がＵＶ／ＶＩＳ検出器及び蛍光検出器を含んでなる、上記１の方法。
１９．検出器手段がＵＶ／ＶＩＳ検出器、蛍光検出器、及びＲＩＤを含んでなる、上記１の方法。
２０．検出器手段がＵＶ／ＶＩＳ検出器、蛍光検出器、ＲＩＤ、及びＭＳＤを含んでなる、上記１の方法。
２１．検出器手段がＵＶ／ＶＩＳ検出器、蛍光検出器、及びＥＬＳＤを含んでなる、上記１の方法。
２２．検出器手段がＵＶ／ＶＩＳ検出器、蛍光検出器、ＥＬＳＤ、及びＭＳＤを含んでなる、上記１の方法。
２３．（ｉ）少くとも１つの分離手段及び少くとも１つの検出器手段を含んでなる分析系に液体炭化水素マトリックスの試料を供給し、そこで分析系により少くとも１つのシグナルを発生させ、そして
（ｉｉ）既知の添加剤パッケージの、炭化水素マトリックス中の標準物からのシグナルを、該試料からの少くとも１つのシグナルと比較して、試料中の添加剤パッケージの同一性を決定する、
ことを含んでなる、液体炭化水素マトリックス中の添加剤パッケージまたは添加剤パッケージ混合物の濃度を決定する方法。
２４．該炭化水素マトリックスが、燃料、オイル、ナフサ、ガソリン、ケロシン、ディ−ゼル燃料、ジェット燃料、タービン燃焼燃料油、ガス油、変速機用流体、及び作動液からなる群から選択される、上記２３の方法。
２５．添加剤パッケージが、燃料添加剤、成分、及び濃厚物；潤滑油添加剤、成分、及び濃厚物；変速機用流体添加剤、成分、及び濃厚物；並びに作動液添加剤、成分、及び濃厚物、からなる群から選択される、上記２３の方法。
２６．試料の分析系への供給が、試料の０．０１−０．５ミクロンフィルターでの濾過を更に含んでなる、上記２３の方法。
２７．試料の分析系への供給が、試料の０．１−０．２ミクロンフィルターでの濾過を更に含んでなる、上記２３の方法。
２８．第一の溶媒を分析系における移動相として使用し、そして該第一の溶媒をトルエン、酢酸エチル、テトラヒドロフラン（ＴＨＦ）、クロロホルム、メチルエチルケトン（ＭＥＫ）、ジクロロメタン、ジクロロエタン、アセトン、ｏ−ジクロロベンゼン（ｏ−ＤＣＢ）、トリクロロベンゼン（ＴＣＢ）、ｍ−クレゾール、及びｏ−クロロフェノ−ル（ｏ−ＣＰ）からなる群から選択する、上記２３の方法。
２９．第一の溶媒を分析系における移動相として使用し、そして該第一の溶媒がテトラヒドロフラン（ＴＨＦ）である、上記２３の方法。
３０．分析系における条件を最適化するために第二の溶媒を注入し、そして該第二の溶媒をピリジン、ジメチルアセトアミド（ＤＭＡ）、ｎ−メチルピロリドン（ＮＭＰ）、ジメチルスルホキシド（ＤＭＳＯ）、及びジメチルホルムアミド（ＤＭＦ）からなる群から選択する、上記２３の方法。
３１．分析系における条件を最適化するために第二の溶媒を注入し、そして該第二の溶媒がジメチルアセトアミド（ＤＭＡ）である、上記２３の方法。
３２．移動相を流速０．０５−２．５ｍｌ／分に設定して分析系を操作する、上記２３の方法。
３３．移動相を流速約０．６ｍｌ／分に設定して分析系を操作する、上記２３の方法。
３４．移動相を流速約０．３ｍｌ／分に設定して分析系を操作する、上記２３の方法。
３５．分離手段が少くとも１つのゲル浸透クロマトグラフィ−サイズ排除（ＧＰＣ／ＳＥＣ）カラムを含んでなる、上記２３の方法。
３６．分離手段が少くとも２つの高分離低細孔寸法のＧＰＣ／ＳＥＣカラムを含んでなる、上記２３の方法。
３７．分離手段が少くとも２つ（１００オングストロ−ム、３ミクロン、３００ｘ７５ｍｍ）のＧＰＣ／ＳＥＣカラムを含んでなる、上記２３の方法。
３８．検出器手段が、ＵＶ／ＶＩＳ検出器、蛍光検出器、屈折率検出器（ＲＩＤ）、蒸発光散乱検出器（ＥＬＳＤ）、及び質量分光光度計出器（ＭＳＤ）からなる群から選択される少くとも１つの検出器を含んでなる、上記２３の方法。
３９．検出器手段がＵＶ／ＶＩＳ検出器を含んでなる、上記２３の方法。
４０．検出器手段がＵＶ／ＶＩＳ検出器及び蛍光検出器を含んでなる、上記２３の方法。
４１．検出器手段がＵＶ／ＶＩＳ検出器、蛍光検出器、及びＲＩＤを含んでなる、上記２３の方法。
４２．検出器手段がＵＶ／ＶＩＳ検出器、蛍光検出器、ＲＩＤ、及びＭＳＤを含んでなる、上記２３の方法。
４３．検出器手段がＵＶ／ＶＩＳ検出器、蛍光検出器、及びＥＬＳＤを含んでなる、上記２３の方法。
４４．検出器手段がＵＶ／ＶＩＳ検出器、蛍光検出器、ＥＬＳＤ、及びＭＳＤを含んでなる、上記２３の方法。
４５．（ｉ）少くとも１つの分離手段及び少くとも１つの検出器手段を含んでなる分析系に燃料試料を供給し、そこで分析系により少くとも１つのシグナルを発生させ、そして
（ｉｉ）既知の添加剤パッケージの、炭化水素マトリックス中の標準物からのシグナルを、該燃料試料からの少くとも１つのシグナルと比較して、燃料試料中のすべての添加剤パッケージの同一性及び／または濃度を決定する、
ことを含んでなる、燃料のクロス−ホ−リング（ｃｒｏｓｓ−ｈａｕｌｉｎｇ）を決定する方法。
４６．添加剤パッケージがスクシンイミド分散剤を含んでなる、上記１、２３、４５の方法。